(57)【要約】【課題】締付金具の締付面が締付ボルトの軸線に対し直交していない場合でも、座金を介してナットを円滑に回転させることができる締付金具を提供する。【解決手段】正面視、湾曲形状の湾曲面１１と、その湾曲面の一端部から曲げて設けられ締付ボルトが挿入されて締付けられる締付面１２とを有する締付金具１であって、締付面１２には、当該締付面１２から外側に膨出した締付面側膨出部１２ａが設けられ、その締付面側膨出部１２ａには締付ボルトの締付ボルト孔１２ｂが設けられており、その締付ボルト孔１２ｂ周囲は、正面視、湾曲形状に形成されている。【選択図】図２
2018107842.tif 000002
【特許請求の範囲】
【請求項１】
正面視、湾曲形状の湾曲面と、その湾曲面の一端部から曲げて設けられ締付ボルトが挿入されて締付けられる締付面とを有する締付金具であって、
前記締付面には、当該締付面から外側に膨出した締付面側膨出部が設けられ、その締付面側膨出部には前記締付ボルトの締付ボルト孔が設けられており、その締付ボルト孔周囲は、正面視、湾曲形状に形成されていることを特徴とする締付金具。
【請求項２】
請求項１記載の締付金具において
前記湾曲面の他端部には、他の締付金具と長さを調整しながら連結できるよう所定間隔を開けた複数の連結孔が設けられていることを特徴とする締付金具。
【発明の詳細な説明】
【技術分野】
【０００１】
本発明は、電柱等の支柱の周囲に締付ボルトおよびナットによって締付けて固定される締付金具に関する。
【背景技術】
【０００２】
電柱等の支柱の周囲にボルトおよびナットによって締付けて固定される締付金具として、例えば、正面視、湾曲形状の湾曲面と、その湾曲面の一端部から曲げて設けられ締付ボルトが挿入されて締付けられる締付面とを有する締付金具を複数使用した自在バンドが提案されている（例えば、特許文献１，２参照。）。
このような自在バンドでは、湾曲面に所定間隔を開けて設けられた複数の調整孔のいずれかに調整ボルトを挿しナットで締付けて支柱の外径に応じた長さに調整した上で、締付面同士を対向させ締結ボルトおよびナットで締結している。
【先行技術文献】
【特許文献】
【０００３】
【特許文献１】実開平７−１６５３４号公報
【特許文献２】実開平７−２３９４２号公報
【発明の概要】
【発明が解決しようとする課題】
【０００４】
しかし、上述の特許文献１，２の締付金具では、湾曲面の複数の調整孔が所定間隔毎に設けられているため、支柱の外径によっては、対向する締付面同士が平行にならず、傾く場合が多い。
【０００５】
そのため、対向する締付面に締結ボルトを挿入してナットで締結する際、対向する締付面同士が傾いている場合、締結ボルトの頭部裏面が締付面に対して傾斜すると共に、ナット裏面も締付面に対して傾斜することになり、締結ボルトの頭部やナットの角部が締付金具の締付面に当接することになり、対向する締付面同士を確実に締結できない、という問題があった。
【０００６】
特に、ナットと締付金具の締付面との間に座金を挿入する場合、締付面が締付ボルトの軸線に対し直交していない場合、座金も締付面に沿って締付ボルトの軸線に対し斜めになって、ナットに対し座金が斜めに当たるため、ナットを締付ボルトのネジ部に螺合させて回転させる際に、ナットを回転させ難いという問題があった。
【０００７】
そこで、本発明は以上の問題点に着目してなされたもので、対向する締付面同士が平行にならず、締付金具の締付面が締付ボルトの軸線に対し直交していない場合でも確実に締結することができる締付金具を提供することを目的とする。
【課題を解決するための手段】
【０００８】
上記課題を解決するため、本発明の締付金具は、正面視、湾曲形状の湾曲面と、その湾曲面の一端部から曲げて設けられ締付ボルトが挿入されて締付けられる締付面とを有する締付金具であって、前記締付面には、当該締付面から外側に膨出した締付面側膨出部が設けられ、その締付面側膨出部には前記締付ボルトの締付ボルト孔が設けられており、その締付ボルト孔周囲は、正面視、湾曲形状に形成されていることを第１の特徴とする。
また、前記締付金具において、前記湾曲面の他端部には、他の締付金具と長さを調整しながら連結できるよう所定間隔を開けた複数の連結孔が設けられていことを第２の特徴とする。
【発明の効果】
【０００９】
本発明に係る締付金具では、締付ボルトが挿入されて締付けられる締付面には、当該締付面から外側に膨出した締付面側膨出部が設けられ、その締付面側膨出部には締付ボルトの締付ボルト孔が設けられており、その締付ボルト孔周囲は、正面視、湾曲形状に形成されている。
そのため、この締付金具を電柱等の支柱の外周に取り付ける際には、締付金具の締付面が締付ボルトの軸線に対し直交していない場合でも、締結ボルトの頭部の角部や、ナットの角部、座金を使用する場合は座金の角部が締付ボルト孔周囲の締付面側膨出部に当接せず、締結ボルトの頭部裏面やナット裏面、座金の裏面が締付面側膨出部の湾曲面に当接するので締結ボルトやナット等によって確実に締結することができる。
【図面の簡単な説明】
【００１０】
【図１】本発明に係る実施形態の締付金具の斜視図である。
【図２】（ａ），（ｂ）それぞれ、本発明に係る実施形態の締付金具の平面図、正面図である。
【図３】本発明に係る実施形態の締付金具の左側面図である。
【図４】図３におけるＡ−Ａ線断面図である。
【図５】（ａ），（ｂ）それぞれ、本発明に係る実施形態の締付金具の締付面周辺の部分拡大正面図、Ｂ−Ｂ線断面図である。
【図６】図４における締付面周辺の部分拡大断面図である。
【図７】本発明に係る実施形態の締付金具を４個使用して自在金具を構成して支柱に取付け、締付ボルトおよびナットにより締付ける状態を示す平面図である。
【図８】本発明に係る実施形態の締付金具を４個使用して自在金具を構成して支柱に取付け、締付ボルトおよびナットにより締結した際、対向する各締付金具の締付面同士が平行な場合の締付け状態を示す要部拡大平面図である。
【図９】本発明に係る実施形態の締付金具を４個使用して自在金具を構成して支柱に取付け、締付ボルトおよびナットにより締結した際、対向する各締付金具の締付面同士が外側に向かって開くように傾斜している場合の締付け状態を示す要部拡大平面図である。
【図１０】本発明に係る実施形態の締付金具を４個使用して自在金具を構成して支柱に取付け、締付ボルトおよびナットにより締結した際、対向する各締付金具の締付面同士が内側（支柱側）に向かって開くように傾斜している場合の締付け状態を示す要部拡大平面図である。
【図１１】本発明に係る実施形態の締付金具を２個使用して支柱に腕金を固定した状態を示す要部拡大平面図である。
【図１２】本発明に係る実施形態の締付金具を１個使用して支柱に腕金を固定した状態を示す要部拡大平面図である。
【発明を実施するための形態】
【００１１】
以下、本発明に係る実施形態の締付金具について、図面を参照して説明する。なお、下記に説明する実施形態はあくまで本発明の一例であり、本発明は下記の実施形態に限定されるものではなく、本発明の技術思想の範囲内で適宜変更可能である。
【００１２】
実施形態の締付金具１は、正面視、湾曲形状で後述するように電柱等の支柱２の外周面に当接する湾曲面１１と、その湾曲面１１の一端部から曲げて設けられ締付ボルト１３が挿入されて締付けられる締付面１２とを有する金具で、後述する図７等に示すように、実施形態の締付金具１を複数個、例えば、４個使用して自在バンド（金具）を構成している。尚、本実施形態では、例えば、締付ボルトとして、角根付きの締付ボルト１３を使用するが、本発明では角根付きの締付ボルト１３に限定されるものではない。
【００１３】
湾曲面１１は、電柱等の支柱２の外周面に当接する部分であり、湾曲面１１における締付面１２と連続する一端側には、後述する締付面１２の締付面側膨出部１２ａと連続する湾曲面側膨出部１１ａが設けられている。
【００１４】
湾曲面側膨出部１１ａは、図２（ｂ）や図６等に示すように、正面視、締付面１２に従って徐々に湾曲面１１からの高さが高くなるように膨出または湾曲して形成されている。
【００１５】
一方、湾曲面側膨出部１１ａにおける締付面１２とは反対側の他端部には、他の締付金具１と長さを調整しながら連結できるように所定間隔を開けて複数の連結孔１１ｂが設けられている。尚、ここでは、４個の連結孔１１ｂが設けられている。
【００１６】
締付面１２には、当該締付面１２から外側に膨出、すなわち図６に示すように正面視、締付面１２の上側面における立上がり地点αから湾曲面１１との境界βまでの間に、図上、上方に向かって膨出または湾曲した締付面側膨出部１２ａが形成されており、その締付面側膨出部１２ａには締付ボルト１３を通すための締付ボルト孔１２ｂが設けられている。
【００１７】
そのため、締付ボルト孔１２ｂの周囲では、締付面側膨出部１２ａは、図６に示すように、正面視、湾曲形状に形成され、締付面１２からの締付面側膨出部１２ａの高さは、締付ボルト孔１２ｂの中心γ近傍で最大となり、締付ボルト孔１２ｂの中心γ近傍における締付面１２からの締付面側膨出部１２ａの高さは、締付面１２の上側面における立上がり地点αや、締付面１２と湾曲面１１との境界βにおける締付面側膨出部１２ａの高さよりも高く形成されている。
【００１８】
尚、本実施形態では、角根付きの締付ボルト１３を使用するため、締付ボルト孔１２ｂの平面視の形状は、図１や図２（ａ）等に示すように正方形状となる。
【００１９】
次に、以上のように構成された締付金具１を４個使用して自在金具１０を構成して、支柱２の回りに固定する場合について説明する。
【００２０】
図７は、実施形態の締付金具１を４個使用して自在金具１０を構成して支柱２に取付け、締付ボルト１３およびナット１４により締付けた状態を示す平面図である。
【００２１】
図７に示すように支柱２の外径に応じて実施形態の締付金具１を２個ずつ湾曲面１１同士重ね合わせると共に、湾曲面１１の連結孔１１ｂに連結ボルト１６を通し、その後、ナット１７を螺合して締結することにより連結する。
【００２２】
すると、図７に示すように２個ずつ連結した２組の実施形態の締付金具１が、支柱２の外周を取り囲むことになるので、図上左右で対向している各締付金具１の締付面１２，１２同士の締付ボルト孔１２ｂ，１２ｂに締付ボルト１３を通し、その締付ボルト１３のネジ部１３ｂにその先端側から座金であるスプリングワッシャ１５を介しナット１４を螺合して締め付ける。
【００２３】
その際、図８に示すように対向する各締付金具１，１の締付面１２，１２同士が平行な場合でも、図９に示すように対向する各締付金具１，１の締付面１２，１２同士が外側に向かって開くように傾斜している場合でも、さらには図１０に示すように締付面１２，１２同士が内側、すなわち支柱２側に向かって開くように傾斜している場合でも、実施形態の締付金具１では、締付ボルト孔１２ｂの周囲には正面視、湾曲形状に膨出または湾曲した締付面側膨出部１２ａが形成されているため、図８〜図１０に示すように締結ボルト１３の頭部１３ａの角部や、スプリングワッシャ１５の角部が締付ボルト孔１２ｂ周囲の締付面側膨出部１２ａに当接せず、締結ボルト１３の頭部１３ａの裏面やスプリングワッシャ１５の裏面が、締付面側膨出部１２ａの湾曲面に当接する。
【００２４】
特に、図９や図１０に示すように締付面１２，１２同士が外側または内側に向かって開くように傾斜している場合、従来の特許文献１，２の発明であれば、座金であるスプリングワッシャ１５は、締付面１２に対し面で接触することにより締付面１２と同様にナット１４の裏面に対し傾斜して、スプリングワッシャ１５とナット１４の裏面とが角部等で当接する。
【００２５】
これに対し、本実施形態の各締付金具１では、図９や図１０に示すように締付面１２，１２同士が外側または内側に向かって開くように傾斜している場合でも、スプリングワッシャ１５の裏面が締付面側膨出部１２ａの湾曲面に当接して、スプリングワッシャ１５は、ナット１４の裏面と平行になる。
【００２６】
そのため、本実施形態の各締付金具１では、スプリングワッシャ１５はナット１４と面で接触することになるので、ナット１４の締付け時にスプリングワッシャ１５を介し締付金具１の締付面１２から受ける反力をナット１４の当接面全体で受けることができる。
【００２７】
その結果、実施形態の締付金具１によれば、締結ボルト１３の頭部１３ａや、ナット１４の裏面、座金であるスプリングワッシャ１５は、締付面１２の締付面側膨出部１２ａに対し角部で当接することがなくなり、各締付金具１，１の対向する締付面１２，１２同士を確実に締結することができる。
【００２８】
また、実施形態の締付金具１では、座金であるスプリングワッシャ１５を介してナット１４で締結しており、スプリングワッシャ１５は、ナット１４の裏面と平行になってナット１４と面接触するので、ナット１４を円滑に回転させることが可能となり、作業性も向上させることができる。
【００２９】
尚、本実施形態の締付金具１は、４個使用し連結して自在バンド１０を構成するように説明したが、本発明では、これに限らず、２個使用し連結して自在バンドを構成しても良いし、連結する数にこだわるものではなく、また湾曲面１１をほぼ円形にして、その湾曲面１１の両端部に設けられた締付面１２，１２同士が対向する一体式の締付バンドでも良い。
【００３０】
また、上記実施形態の説明では、締付金具１同士を連結して自在バンド１０を構成して説明したが、本発明ではこれに限らず、例えば、図１１に示すように、腕金３に設けられた取付片３ａ，３ａを利用して本実施形態の締付金具１を２個と締付ボルト１３およびナット１４により支柱２に腕金３を固定する場合や、図１２に示すように、腕金３に垂直に接合された垂直部材４に設けられた取付片４ａを利用して本実施形態の締付金具１を１個と締付ボルト１３およびナット１４により支柱２に腕金３を固定する場合にも、締付金具１の締付面１２に締付面側膨出部１２ａが設けられているので、締付ボルト１３の軸線に対し締付面１２が垂直でない場合でも締結ボルト１３やナット１４等によって確実に締結することができる。
【００３１】
また、上記実施形態の説明では、座金としてスプリングワッシャ１５を使用して説明したが、本発明ではこれに限らず、スプリング機能を有さない通常の丸座金でも勿論良いし、座金を省略したり、座付きナットを使用しても良い。
【符号の説明】
【００３２】
１  締付金具
１１  湾曲面
１１ａ  湾曲面側膨出部
１１ｂ  連結孔
１２  締付面
１２ａ  締付面側膨出部
１２ｂ  締付ボルト孔
１３  締付ボルト
１３ａ  頭部
１３ｂ  ネジ部
１４  ナット
１５  スプリングワッシャ（座金）
２  支柱
３  腕金
４  垂直部材
【図１】
2018107842.tif 000003
【図２】
2018107842.tif 000004
【図３】
2018107842.tif 000005
【図４】
2018107842.tif 000006
【図５】
2018107842.tif 000007
【図６】
2018107842.tif 000008
【図７】
2018107842.tif 000009
【図８】
2018107842.tif 000010
【図９】
2018107842.tif 000011
【図１０】
2018107842.tif 000012
【図１１】
2018107842.tif 000013
【図１２】
2018107842.tif 000014